(57)【要約】【課題】回覧伝達する順序を任意に定めることが可能であると共に、回覧伝達が終了したメンバーと、回覧伝達が未了のメンバーとを確認することが容易にできるようにした電話連絡回覧方法を提供する。【解決手段】第１の電話端末が、選択された複数個の電話端末のメンバー情報を受け付け、受け付けた前記メンバー情報のうちの１つである第２の電話端末に、前記メンバー情報を付加した回覧発信をする。回覧発信の着呼を受けた第２の電話端末は、回覧発信に付加されたメンバー情報を抽出して保持する。第２の電話端末は、第１の電話端末との間に通話を生成して電話連絡メッセージを受信し、その後、例えばオンフックをトリガーとして、第１の電話端末からの呼を保留した後、次順位の電話端末に転送回覧発信する。【選択図】図３
2009088794.tif 000002
【特許請求の範囲】
【請求項１】
回線交換装置を介して接続される複数個の電話端末のうちから選択された複数個の電話端末に、順次に、電話連絡を回覧転送するようにする電話連絡回覧方法であって、
第１の電話端末が、前記選択された複数個の電話端末のメンバー情報からなる回覧メンバー情報を受け付ける回覧メンバー受付工程と、
前記第１の電話端末が、使用者による回覧発信の操作に基づいて、受け付けた前記メンバー情報のうちの１つである第２の電話端末に、前記回覧メンバー情報を付加した回覧発信をする第１発信工程と、
前記第２の電話端末が、前記回覧発信に付加された前記回覧メンバー情報を抽出して保持する第１の回覧メンバー情報保持工程と、
前記第２の電話端末での前記回覧発信の着信に対する使用者の応答操作に応じて、前記回線交換装置が、前記第１の電話端末の使用者からの電話連絡を受信するための第１の通話路を生成する第１の通話路生成工程と、
前記第１の通話路生成工程の後の使用者の所定の操作を受けた前記第２の電話端末からの保留要求に応じて、前記回線交換装置が、前記第１の電話端末からの呼を保留状態にする第１の保留工程と、
前記第１の保留工程の後、前記第２の電話端末が、前記第１の回覧メンバー情報保持工程で保持されている前記回覧メンバー情報に含まれる第３の電話端末に、前記回覧メンバー情報から前記第２の電話端末の情報を削除した更新回覧メンバー情報を付加した転送回覧発信をする第２の発信工程と、
前記第３の電話端末が、前記転送回覧発信に付加された前記更新回覧メンバー情報を抽出して保持する第２の回覧メンバー情報保持工程と、
前記第３の電話端末での前記転送回覧発信の着信に対する使用者の応答操作に応じて、前記回線交換装置が、前記第２の電話端末の使用者からの電話連絡を受信するための第２の通話路を生成する第２の通話路生成工程と、
前記第２の通話路生成工程の後の使用者の所定の操作を受けた前記第３の電話端末からの要求に応じて、前記回線交換装置が、前記第１の電話端末からの呼の保留状態を解除して、前記第１の電話端末と前記第３の電話端末との間に第３の通話路を生成する第３の通話路生成工程と、
前記回線交換装置が、前記第３の通話路生成工程の後、前記第３の通話路生成工程で生成した前記第３の通話路を保留する第２の保留工程と、
前記第２の保留工程の後、前記第３の電話端末が、前記第２のメンバー情報保持工程で保持されている前記更新回覧メンバー情報に含まれる第４の電話端末に、前記第２の回覧メンバー情報保持工程で保持されている前記更新回覧メンバー情報から前記第３の電話端末の情報を削除した再更新回覧メンバー情報を付加した転送回覧発信をする第３の発信工程と、
を備え、
前記第３の発信工程の後、前記第２の回覧メンバー情報保持工程、前記第２の通話路生成工程、前記第３の通話路生成工程、前記第２の保留工程、前記第３の発信工程を繰り返すことにより、前記回覧メンバー情報に掲げられている電話端末に順次に電話連絡の回覧をするようにする
ことを特徴とする電話連絡回覧方法。
【請求項２】
請求項１に記載の電話連絡回覧方法において、
前記第３の電話端末が、前記第３の通話路生成工程の後、前記第２の回覧メンバー情報保持工程で保持した前記更新回覧メンバー情報に、次順位の電話端末があるか否か判別する判別工程を備え、
前記第３の電話端末の前記判別工程で、次順位の電話端末があると判別したときには、前記第３の電話端末が保留要求を出した後、前記第２の保留工程と、前記第３の発信工程とが実行され、前記判別工程で、次順位の電話端末が無いと判別したときには、前記第３の通話路生成工程で生成した前記第３の通話路を終話処理するようにし、
前記第３の発信工程を実行したときには、前記第４の電話端末が、前記第２の回覧メンバー情報保持工程、前記判別工程を、前記回線交換装置が、前記第２の通話路生成工程、前記第３の通話路生成工程を、それぞれ繰り返し、前記判別工程で、次順位の電話端末があると判別されたときには、前記第３の通話路生成工程で生成した前記第３の通話路を保留する前記第２の保留工程を行い、前記判別工程で、次順位の電話端末が無いと判別されたときには、前記第３の通話路生成工程で生成された前記第３の通話路を終話処理する
ことを特徴とする電話連絡回覧方法。
【請求項３】
請求項１または請求項２に記載の電話連絡回覧方法において、
前記第１の発信工程または前記第２の発信工程に対する相手電話端末が不応答であると判別したときには、前記第１の電話端末、前記第２の電話端末または前記第３の電話端末は、前記回覧メンバー情報、前記更新回覧メンバー情報または前記再更新回覧メンバー情報にある他の電話端末に、前記回覧発信または前記転送回覧発信の再発信を行うことを特徴とする電話連絡回覧方法。
【請求項４】
請求項１または請求項２に記載の電話連絡回覧方法において、
前記第１の電話端末は、前記第１の通話路生成工程、前記第２の通話路生成工程、前記第３の通話路生成工程により、前記回覧メンバー情報に掲げられた電話端末のうちの電話連絡回覧が終了した電話端末を検出する
ことを特徴とする電話連絡回覧方法。
【請求項５】
請求項１〜請求項４のいずれかに記載の電話連絡回覧方法において、
前記回覧発信または前記転送回覧発信の際に付加される前記回覧メンバー情報、前記更新回覧メンバー情報または再更新回覧メンバー情報には、各メンバーの電話端末の電話番号が含まれており、前記第２、第３、第４の電話端末は、当該メンバー情報に含まれている電話番号を用いて、前記転送回覧発信を行う
ことを特徴とする電話連絡回覧方法。
【請求項６】
回線交換装置に接続された電話端末であって、
回線交換装置を介して接続される複数個の電話端末のうちから選択された複数個の電話端末のメンバー情報からなる回覧メンバー情報を受け付ける回覧メンバー受付手段と、
使用者による回覧発信操作に基づき、受け付けた前記回覧メンバー情報のうちの１つのメンバー情報に対応する電話端末に、前記回覧メンバー情報を付加した回覧発信をする回覧発信手段と、
前記回覧発信手段における前記回覧発信に対する応答を受信して、前記回線交換装置と共に、通話路を生成する通話路生成手段と、
前記通話路生成手段で通話路が生成された後、前記回線交換装置により保留状態および当該保留状態から通話状態へと交互に変更されたとき、前記保留状態からの通話状態における相手方電話端末を検知することで、前記回覧メンバー情報に掲げられた電話端末のうちの電話連絡回覧が終了した電話端末を検出する検出手段と、
を備える電話端末。
【請求項７】
回線交換装置に接続される電話端末であって、
回線交換装置を介して接続された複数個の電話端末のうちから選択された複数この電話端末のメンバー情報からなる回覧メンバー情報が付加された回覧発信の着信を受信する回覧発信受信手段と、
前記回覧発信に付加されている前記回覧メンバー情報を抽出して保持する回覧メンバー情報保持手段と、
前記回覧発信の着信に対する使用者の応答操作に応じて、前記回線交換装置と共に、前記回覧発信をした第１の電話端末の使用者からの電話連絡を受信するための第１の通話路を生成する第１の通話路生成手段と、
使用者による所定の操作を受けて、前記第１の通話路生成手段で生成した第１の通話路の保留要求を前記回線交換装置に送出する保留要求手段と、
前記第１の通話路の保留状態において、前記回覧メンバー情報保持手段で保持されている前記回覧メンバー情報に含まれる第２の電話端末に、前記回覧メンバー情報から自電話端末の情報を削除した回覧メンバー情報を付加した転送回覧発信をする転送回覧発信手段と、
前記転送回覧発信に対する応答に応じて、前記回線交換装置と共に、前記第２の電話端末の使用者に、電話連絡を送信するための第２の通話路を生成する第２の通話路生成手段と、
前記第２の通話路が生成されている状態において、使用者の終話操作に応じて、前記第２の通話路についての終話処理を実行する手段と、
を備える電話端末。
【発明の詳細な説明】
【技術分野】
【０００１】
この発明は、回線交換装置を介して接続される複数個の電話端末のうちから選択された複数個の電話端末に、順次に、電話連絡を回覧転送するようにする電話連絡回覧方法およびこの電話連絡回覧方法に使用する電話端末に関する。
【背景技術】
【０００２】
回線交換装置に複数個の電話端末が接続されているボタン電話システムなどにおいては、前記複数個の電話端末に対して、業務上の連絡事項や日常の連絡事項を、通話により順次に回覧するように伝達する利用方法がある。この場合、一般的には、電話端末間での通話で口頭メッセージによる連絡事項を受け取った人が、次の相手先の電話端末に対してダイヤルして口頭で連絡事項のメッセージを伝えるようにすることが行われる（例えば特許文献１（特開平７−１７７２０３号公報）参照）。
【０００３】
上記の特許文献は、次の通りである。
【特許文献１】特開平７−１７７２０３号公報
【発明の開示】
【発明が解決しようとする課題】
【０００４】
しかしながら、上述した電話連絡方法により、連絡事項を回覧するように伝達（以下、回覧伝達という）する場合、予め、回覧伝達するメンバー（使用者毎に電話端末が特定されている場合には、当該使用者の電話端末）と、回覧順序を定めておいて、回覧伝達するメンバーの電話端末の使用者が、その定めた回覧順序に従って、次々に、次の相手先にダイヤルして連絡事項の伝達をする必要がある。このため、回覧伝達するメンバーや、回覧順序を任意に定めることが困難であるという問題がある。
【０００５】
また、回覧伝達するメンバーのうちの、回覧伝達が終了したメンバーと、回覧伝達が未了のメンバーとを確認することが困難であるという問題もある。
【０００６】
以上のことにかんがみ、この発明は、回覧伝達する順序を任意に定めることが可能であると共に、回覧伝達が終了したメンバーと、回覧伝達が未了のメンバーとを確認することが容易にできるようにした電話連絡回覧方法を提供することを目的とする。
【課題を解決するための手段】
【０００７】
上記の課題を解決するために、この発明は、
回線交換装置を介して接続された複数個の電話端末のうちから選択された複数個の電話端末に、順次に、電話連絡を回覧転送するようにする電話連絡回覧方法であって、
第１の電話端末が、前記選択された複数個の電話端末のメンバー情報からなる回覧メンバー情報を受け付ける回覧メンバー受付工程と、
前記第１の電話端末が、使用者による回覧発信の操作に基づいて、受け付けた前記メンバー情報のうちの１つである第２の電話端末に、前記回覧メンバー情報を付加した回覧発信をする第１発信工程と、
前記第２の電話端末が、前記回覧発信に付加された前記回覧メンバー情報を抽出して保持する第１の回覧メンバー情報保持工程と、
前記第２の電話端末での前記回覧発信の着信に対する使用者の応答操作に応じて、前記回線交換装置が、前記第１の電話端末の使用者からの電話連絡を受信するための第１の通話路を生成する第１の通話路生成工程と、
前記第１の通話路生成工程の後の使用者の所定の操作を受けた前記第２の電話端末からの保留要求に応じて、前記回線交換装置が、前記第１の電話端末からの呼を保留状態にする第１の保留工程と、
前記第１の保留工程の後、前記第２の電話端末が、前記第１の回覧メンバー情報保持工程で保持されている前記回覧メンバー情報に含まれる第３の電話端末に、前記回覧メンバー情報から前記第２の電話端末の情報を削除した更新回覧メンバー情報を付加した転送回覧発信をする第２の発信工程と、
前記第３の電話端末が、前記転送回覧発信に付加された前記更新回覧メンバー情報を抽出して保持する第２の回覧メンバー情報保持工程と、
前記第３の電話端末での前記転送回覧発信の着信に対する使用者の応答操作に応じて、前記回線交換装置が、前記第２の電話端末の使用者からの電話連絡を受信するための第２の通話路を生成する第２の通話路生成工程と、
前記第２の通話路生成工程の後の使用者の所定の操作を受けた前記第３の電話端末からの要求に応じて、前記回線交換装置が、前記第１の電話端末からの呼の保留状態を解除して、前記第１の電話端末と前記第３の電話端末との間に第３の通話路を生成する第３の通話路生成工程と、
前記回線交換装置が、前記第３の通話路生成工程の後、前記第３の通話路生成工程で生成した前記第３の通話路を保留する第２の保留工程と、
前記第２の保留工程の後、前記第３の電話端末が、前記第２のメンバー情報保持工程で保持されている前記更新回覧メンバー情報に含まれる第４の電話端末に、前記第２の回覧メンバー情報保持工程で保持されている前記更新回覧メンバー情報から前記第３の電話端末の情報を削除した再更新回覧メンバー情報を付加した転送回覧発信をする第３の発信工程と、
を備え、
前記第３の発信工程の後、前記第２の回覧メンバー情報保持工程、前記第２の通話路生成工程、前記第３の通話路生成工程、前記第２の保留工程、前記第３の発信工程を繰り返すことにより、前記回覧メンバー情報に掲げられている電話端末に順次に電話連絡の回覧をするようにする
ことを特徴とする電話連絡回覧方法を提供する。
【０００８】
上述の構成のこの発明によれば、第１の電話端末は、電話連絡による回覧をすべきメンバーの情報からなる回覧メンバー情報を受け付けて、使用者による回覧発信の操作に基づいて、例えば回覧メンバー情報の最初のメンバーである第２の電話端末に回覧発信を行う。この回覧発信には、回覧メンバー情報が付加される。
【０００９】
第２の電話端末は、この回覧発信の着信に応答して、第１の電話端末の使用者からの口頭による電話連絡メッセージを受ける。その後、第２の電話端末は、その使用者による所定の操作、例えばオンフックを受け付けると、第１の電話端末からの呼を保留状態にして、受け取った回覧メンバー情報に基づいて、次順位のメンバーの第３の電話端末に自動で発信（転送回覧発信）する。この転送回覧発信には、回覧伝達が完了した第２の電話端末のメンバー情報が削除された更新回覧メンバー情報が付加される。
【００１０】
第３の電話端末は、この転送回覧発信の着信に応答して、第２の電話端末の使用者からの口頭による電話連絡メッセージを受ける。その後、第３の電話端末は、その使用者による所定の操作、例えばオンフックを受け付けると、第２の電話端末との通話路は切断して、保留されている第１の電話端末からの呼に接続（保留解除）して、一旦、第１の電話端末と第３の電話端末とが通話状態になる。
【００１１】
次に、第３の電話端末は、第１の電話端末からの呼を、保留状態に戻し、受け取った更新回覧メンバー情報に基づいて、次のメンバーの第４の電話端末に自動で発信（転送回覧発信）する。この転送回覧発信には、回覧伝達が完了した第３の電話端末のメンバー情報が削除された再更新回覧メンバー情報が付加される。
【００１２】
以下、メンバー情報に含められている第４の電話端末以降の電話端末においては、第３の電話端末と同様の処理を行って、順次に、電話連絡の転送回覧発信を行って、回覧伝達をするようにする。
【００１３】
以上のようにして、第１の電話端末で受け付けられた任意の回覧メンバーに対して、電話連絡による回覧が、回覧メンバー情報に示された順に、順次に行われる。第１の電話端末からの回覧発信の呼は、各電話端末で保留された後、次の電話端末で保留解除されて通話路が生成されるようにされるので、第１の電話端末では、どの電話端末に対して回覧伝達が行われたかを判断することが可能である。
【発明の効果】
【００１４】
この発明によれば、最初の回覧発信を行う第１の電話端末で受け付けられた任意のメンバーに対して、電話連絡による回覧を行うことができる。また、第１の電話端末からの回覧発信の呼は、各電話端末で保留された後、次の電話端末で保留解除されて通話路が生成されるようにされるので、第１の電話端末では、どの電話端末に対して回覧伝達が行われたかを判断することができる。
【発明を実施するための最良の形態】
【００１５】
以下、この発明による電話連絡回覧方法をＩＰ（Ｉｎｔｅｒｎｅｔ  Ｐｒｏｔｏｃｏｌ）電話システムに適用した場合の一実施形態を、図を参照しながら説明する。
【００１６】
図１は、この発明の実施形態が適用されるＩＰ電話システムのシステム構成例を示す図である。この図１の例のＩＰ電話システムは、ＳＩＰ（Ｓｅｓｓｉｏｎ  Ｉｎｉｔｉａｔｉｏｎ  Ｐｒｏｔｏｃｏｌ）サーバ１と、ハブ２と、複数台のＩＰ電話機３０，３１，３２，３３・・・３ｎ（ｎは２以上の整数）とからなる。
【００１７】
ＩＰ電話機３０，３１，３２，３３・・・３ｎのそれぞれは、電話端末の例であって、ハブ２に接続されて、ＬＡＮ（Ｌｏｃａｌ  Ａｒｅａ  Ｎｅｔｗｏｒｋ）を構成している。また、ハブ２にはＳＩＰサーバ１が接続され、当該ＳＩＰサーバ１もＬＡＮに接続されている。ＳＩＰサーバ１は、また、ＩＰ電話網４に接続されている。
【００１８】
ＳＩＰサーバ１は、回線交換装置の例であり、例えばパーソナルコンピュータで構成されている。ＳＩＰサーバ１は、この実施形態のＩＰ電話システムにおいて、複数台のＩＰ電話機３０〜３ｎと、ＩＰ網４を通じた相手先とのＩＰ電話通信のための回線交換制御や呼制御を行うと共に、ＩＰ電話システム内の複数個のＩＰ電話機３０〜３ｎの間におけるＩＰ電話通信のための回線交換制御や呼制御を行う。ＳＩＰサーバ１は、ＬＡＮに接続されているＩＰ電話機３０〜３ｎのそれぞれやハブ２のＬＡＮ上のアドレス（ＩＰアドレス）を記憶して管理する。
【００１９】
この実施形態においては、ＩＰ電話機３０〜３ｎのそれぞれは、ＳＩＰサーバ１と連携して、通話中の呼の保留、その保留解除および転送が可能となるように構成されている。すなわち、ＩＰ電話機３０〜３ｎのそれぞれは、この例では、保留および転送機能を備えており、当該ＩＰ電話機で通話中に保留キーを押下すると、その押下操作は保留操作（保留要求操作）となって、後述するようにして通話中回線は、保留状態になる。そして、保留状態で、再度、保留キーを押下すると、その押下操作は、保留解除要求操作となる。
【００２０】
なお、説明の簡単のため、この例のＩＰ電話システムでは、ＳＩＰサーバ１に対して接続されるハブ２は１個としたが、ＳＩＰサーバ１に対して複数個のハブを設けても良いし、また、ハブ２の下位に他のハブを接続するようにしても良い。
【００２１】
［ＩＰ電話機のハードウエア構成例］
図２に、この実施の形態のＩＰ電話システムにおけるＩＰ電話機３０〜３ｎのハードウエア構成例を示す。ＩＰ電話機３０〜３ｎは、同じハードウエア構成を備えるので、図２では、ＩＰ電話機３０の場合として説明する。この実施の形態のＩＰ電話機３０は、図２に示すように、ＩＰ電話機本体ＴＥと、ハンドセットＨＳとからなる。ハンドセットＨＳは、図示を省略したが、送話器を構成するマイクロホンと、送話アンプと、受話器を構成するスピーカと、受話アンプとを備えている。
【００２２】
ＩＰ電話機本体ＴＥは、マイクロコンピュータにより構成されており、ＣＰＵ（Ｃｅｎｔｒａｌ  Ｐｒｏｃｅｓｓｉｎｇ  Ｕｎｉｔ）１０１に対して、システムバス１００を介して、ＲＯＭ（Ｒｅａｄ  Ｏｎｌｙ  Ｍｅｍｏｒｙ）１０２と、ＲＡＭ（Ｒａｎｄｏｍ  Ａｃｃｅｓｓ  Ｍｅｍｏｒｙ）１０３と、ディスプレイコントローラ１０４と、ＬＥＤドライブ部１０５と、操作入力インターフェース（図ではインターフェースはＩ／Ｆと記載する。以下同じ）１０６と、ＬＡＮインターフェース１０７と、パケット処理部１０８と、音声データ入出力インターフェース１０９と、発信元回覧メンバー情報メモリ１１０と、転送回覧メンバー情報メモリ１１１とが接続されている。
【００２３】
ＲＯＭ１０２には、ＩＰ電話機としての発信時や着信時の処理シーケンスを実行するプログラム、保留・保留解除の要求入力を受け付け、保留・保留解除時の処理などを実行するためのプログラムが記憶されている。また、ＲＯＭ１０２には、この実施形態の電話連絡回覧方法を実行するためのプログラムも記憶されている。
【００２４】
ＲＡＭ１０３は、主としてＲＯＭ１０２のプログラムがＣＰＵ１０１によって実行される際にワークエリアとして使用される。
【００２５】
ディスプレイコントローラ１０４には、ディスプレイ１１２が接続されており、このディスプレイ１１２の表示画面には、ＣＰＵ１０１の制御にしたがった表示が行われる。
【００２６】
また、操作入力インターフェース１０６には、テンキー、回線ボタンキー、保留キー、カーソルキー、その他の操作キーやフックスイッチ、さらにこの例では回覧発信操作キーを含む操作入力部１１４が接続されている。ＣＰＵ１０１は、操作入力インターフェース１０６を介して操作入力部１１４を通じて使用者がいずれの入力キーを操作したかを認識し、その認識結果に基づいて、キー入力操作に応じた処理をＲＯＭ１０２のプログラムに従って実行する。
【００２７】
ＬＥＤドライブ部１０５には、回線キーやその他のボタンキー、フックスイッチの状態などに関連した表示を行うための複数個のＬＥＤからなるＬＥＤ群１１３が接続されている。
【００２８】
ＬＡＮインターフェース１０７は、ＩＰネットワークを構成するＬＡＮを通じて送られてくるパケット化データを取り込み、また、ＬＡＮにパケット化データを送出するための機能を備える。
【００２９】
パケット処理部１０８は、ＬＡＮインターフェース１０７により取り込んだパケット化データを分解して、制御データや音声データを得る機能と、送信する制御データや音声データをパケット化して送出するパケット化データを生成する機能を有する。このパケット処理部１０８は、パケット化データを分解したり、生成したりするためのバッファメモリを備える。
【００３０】
なお、このパケット処理部１０８のパケット分解処理機能や生成処理機能は、ＣＰＵ１０１が、ＲＯＭ１０２に記憶されているプログラムに従って、ＲＡＭ１０３をワークエリアとして用いて実行するソフトウエア処理として実現することもできる。
【００３１】
音声データ入出力インターフェース１０９は、パケット分解されて得られた音声データをアナログ音声信号に変換してハンドセットＨＳに供給し、また、ハンドセットＨＳから入力されるアナログ音声信号をデジタル信号に変換して取り込む機能を備える。
【００３２】
発信元回覧メンバー情報メモリ１１０には、この実施形態では、自端末が回覧発信の最初の発信元になる場合には、操作入力部１１４を通じて使用者による、回覧伝達すべきメンバーの情報（回覧メンバー情報）の設定入力を受けるので、当該設定入力された回覧メンバー情報が、記憶格納される。この例では、回覧順序も設定入力可能とされる。発信元回覧メンバー情報メモリ１１０からの回覧メンバー情報は、回覧順序に従った順序で読み出される。
【００３３】
ここで、設定入力される回覧メンバー情報としては、この例では、回覧伝達すべき人が使用者となっているＩＰ電話機の電話番号が設定入力される。電話番号のみではなく、例えば、回覧伝達すべき人の名を併せて回覧メンバー情報として設定入力することもできる。また、各ＩＰ電話機に端末番号（電話機番号）が付与されている場合には、その電話機番号を電話番号と併せて回覧メンバー情報として設定入力するようにしてもよい。
【００３４】
また、転送回覧メンバー情報メモリ１１１には、他のＩＰ電話機からの転送回覧発信の着呼を受けたときに、当該転送回覧発信に付加されて送られてくる回覧メンバー情報が抽出されて記憶保持される。
【００３５】
この転送回覧メンバー情報メモリ１１１に記憶保持された回覧メンバー情報は、当該ＩＰ電話機で電話連絡による音声メッセージの回覧伝達を使用者が受け取り、さらに、次の回覧メンバーに転送回覧発信する際に読み出されて、その転送回覧発信に付加されて次のＩＰ電話機に送られる。ただし、その転送回覧発信に付加する前に、当該転送回覧メンバー情報メモリ１１１に記憶保持された回覧メンバー情報から、回覧伝達が完了した自ＩＰ電話機のメンバー情報（電話番号や人名、端末番号）を削除するようにする。
【００３６】
［電話連絡回覧シーケンス例の説明］
この実施形態における電話連絡回覧方法におけるシーケンス例を、図３およびその続きである図４に示す。この例は、ＩＰ電話機３０が、回覧発信の最初の発信元のＩＰ電話機となる場合で、かつ、以下、順に、ＩＰ電話機３１→ＩＰ電話機３２→ＩＰ電話機３３の順序で、４台のＩＰ電話機について電話連絡の回覧伝達をするように設定された場合である。そして、図３は、その場合の回覧メンバーである４台の電話機、つまり、ＩＰ電話機３０，３１，３２，３３における処理動作を示すものである。なお、回覧メンバー情報には、発信元のＩＰ電話機の情報は不要であるので、回覧メンバー情報には、ＩＰ電話機３１，３２，３３のメンバー情報（電話機番号と電話番号）のみが含まれる。
【００３７】
また、この実施形態においては、回覧発信の最初の発信元となったＩＰ電話機３０では、回覧メンバー情報として設定入力した回覧メンバーのどこまで、回覧が終了したかを表示する機能を実行する。また、この実施形態では、発信元ＩＰ電話機以外の各ＩＰ電話機では、いずれのＩＰ電話機と通話をしているかを示す表示をする機能を実行するようにする。
【００３８】
そこで、図３および図４のシーケンス例における種々のシーンにおいて、ＩＰ電話機３０，３１，３２，３３のディスプレイ１１２では、前記機能に基づいた表示を実行する。図５〜図８に、図３および図４のシーケンス例におけるＩＰ電話機３０，３１，３２，３３のディスプレイ１１２の表示画面１１２Ｄでの表示例を示す。
【００３９】
先ず、この例においては、図３に示すように、ＩＰ電話機３０の使用者が、ＩＰ電話機３０の操作入力部１１４を通じて回覧メンバーの設定入力を行う。この例の場合には、自分であるＩＰ電話機３０以降のＩＰ電話機３１，３２，３３の電話番号を、その順番に登録入力することにより、回覧順序と共に、回覧メンバーの設定入力を行う。
【００４０】
なお、この例では、ＩＰ電話機に設定されている電話機名として電話機の番号も併せて設定入力される。すなわち、電話機名は、この例では、ＩＰ電話機３１，３２，３３のそれぞれに対して、「電話機１」、「電話機２」、「電話機３」というように、電話機番号「１」、「２」、「３」が割り当てられたものである。
【００４１】
設定入力された回覧メンバー情報は、前述したように、発信元回覧メンバー情報メモリ１１０に記憶保持される。回覧メンバー情報としては、ＩＰ電話機３１，３２，３３のそれぞれについて、それぞれのＩＰ電話機の番号に対応して、それぞれのＩＰ電話機電話番号が記憶保持されたものとなっている。
【００４２】
上述した回覧メンバー情報の設定入力の受付および発信元回覧メンバー情報メモリ１１０への記憶保持が完了した後、使用者により、ＩＰ電話機３０において、操作入力部１１４のうちの回覧発信キーが操作されると、ＩＰ電話機３０のＣＰＵ１０１は、その操作を検知し、発信元回覧メンバー情報メモリ１１０から回覧メンバー情報を読み出し、その回覧メンバー情報の先頭のＩＰ電話機３１の電話番号を用いて、当該回覧メンバー情報を付加した、回覧発信の発呼を実行する。
【００４３】
この状態における各ＩＰ電話機３０〜３３の表示画面１１２Ｄにおける表示例を図５に示す。すなわち、このときには、図５に示すように、ＩＰ電話機３０のディスプレイ１１２の表示画面１１２Ｄには、当該ＩＰ電話機の電話機名および年月日および時刻表示がなされると共に、回覧メンバー情報のＩＰ電話機３１〜３３の番号の一覧が表示される。このＩＰ電話機３１〜３３の番号の一覧表示の表示情報は、例えば、回覧メンバー情報から生成される。
【００４４】
そして、この例では、図５の回覧メンバーの一覧表示においては、回覧メンバーであるＩＰ電話機３１〜３３の番号にはアンダーラインが付与されているが、これは、回覧伝達が未了であることを示している。そして、後述するように、この例では、回覧伝達が済んだ回覧メンバーのＩＰ電話機の番号についてのアンダーラインは、消去されるように構成されている。これにより、回覧伝達が済みか、あるいは、未了であるかを、ディスプレイ１１２の表示画面１１２Ｄで確認することができる。
【００４５】
なお、この状態において、ＩＰ電話機３１，３２，３３の表示画面１１２Ｄには、それらが通話に関して使用されていない状態では、図５に示すように、それぞれの電話機名と、年月日および時刻が表示される状態となる。
【００４６】
次に、図３に戻ると、前記のＩＰ電話機３０における回覧発信の発呼は、ＳＩＰサーバ１を介して、ＩＰ電話機３１において着呼となるが、この着呼に対してＩＰ電話機３１で使用者により応答操作がなされると、ＳＩＰサーバ１を通じて応答メッセージがＩＰ電話機３０に送られ、ＩＰ電話機３０とＩＰ電話機３１との間に通話路が生成される。この通話路生成に先立ち、ＩＰ電話機３１では、回線発信の発呼メッセージに含まれる回覧メンバー情報を抽出して、転送回覧メンバー情報メモリ１１１に記憶保持する。
【００４７】
そして、生成された通話路を通じてＩＰ電話機３０の使用者から、ＩＰ電話機３１の使用者に対して回覧メッセージが伝達される。この回覧メッセージの伝達が終了すると、所定の操作、この例では、ＩＰ電話機３１でオンフック操作がなされる。この例の電話連絡回覧方法におけるシーケンスにおいては、当該時点のオンフック操作は保留キー操作として検知され、保留要求がＳＩＰサーバ１に送られる。これにより、ＩＰ電話機３０からの呼は、保留状態となり、ＩＰ電話機３０の使用者に対しては保留音がハンドセットＨＳの受話器から放音される。
【００４８】
このとき、ＩＰ電話機３０は、ＳＩＰサーバ１からのメッセージにより、自端末が保留状態になったことを知る。保留音は、ＩＰ電話機自身が前記保留状態になったことを知って、自電話機に備えている保留音の発生部から出力するようにすることができる。また、保留要求を出したＩＰ電話機からの保留音やＳＩＰサーバ１から送られてくる保留音を受け取って、放音出力するようにしてもよい。そして、各ＩＰ電話機での保留状態の検知は、この保留音の受信を検知して行うようにしても良い。
【００４９】
次に、この実施形態では、回覧メッセージの伝達終了後の所定の操作の例であるオンフックをトリガーとして、ＩＰ電話機３１は、転送回覧メンバー情報メモリ１１１に記憶されている回覧メンバー情報を参照し、回覧メンバーの次順位のＩＰ電話機３２の電話番号を読み出して、当該ＩＰ電話機３２に対して転送回覧発信の発呼を行う。
【００５０】
この転送回覧発信の発呼には、転送回覧メンバー情報メモリ１１１に記憶されている回覧メンバー情報の先頭にある自ＩＰ電話機３１の回覧メンバー情報（電話機番号と電話番号）を削除して更新した更新回覧メンバー情報を付加するようにする。この更新回覧メンバー情報は、順次に下位の回覧メンバーが繰り上がった状態のものとなっている。
【００５１】
このＩＰ電話機３１からの転送回覧発信の発呼は、ＳＩＰサーバ１を介して、ＩＰ電話機３２において着呼となる。この着呼に対してＩＰ電話機３２で使用者により応答操作がなされると、ＳＩＰサーバ１を通じて応答メッセージがＩＰ電話機３１に送られ、ＩＰ電話機３１とＩＰ電話機３２との間に通話路が生成される。この通話路生成に先立ち、ＩＰ電話機３２では、回線発信の発呼メッセージに含まれる更新回覧メンバー情報を抽出して、転送回覧メンバー情報メモリ１１１に記憶保持する。
【００５２】
そして、生成された通話路を通じてＩＰ電話機３１の使用者から、ＩＰ電話機３２の使用者に対して回覧メッセージが伝達される。
【００５３】
このＩＰ電話機３１とＩＰ電話機３２との間に通話路が生成されている状態における各ＩＰ電話機３０〜３３の表示画面１１２Ｄにおける表示例を図６に示す。すなわち、このときには、図６に示すように、ＩＰ電話機３０では、ＩＰ電話機３１への回覧伝達が終了したことを、ＩＰ電話機３１との通話の後の保留状態への以降により検知するので、ＩＰ電話機３０のディスプレイ１１２の表示画面１１２Ｄでは、回覧メンバーであるＩＰ電話機３１〜３３の番号の一覧において、ＩＰ電話機３１の番号「１」のアンダーラインが消えており、ＩＰ電話機３１への回覧伝達が終了したことを表示する。なお、ＩＰ電話機３０は、ＩＰ電話機３１との通話路が生成されたことを検知することで、ＩＰ電話機３１への回覧伝達が終了したことを認識して、前記アンダーラインを消去するようにしてもよい。
【００５４】
そして、通話状態であるＩＰ電話機３１とＩＰ電話機３２の表示画面１１２Ｄでは、図６に示すように、通話の相手方の電話機番号がそれぞれ表示される状態となる。この表示情報も、回覧メンバー情報に記憶されている電話機番号から生成される。ＩＰ電話機のそれぞれは、ＳＩＰサーバ１からの、通話路設定の呼制御の際の相手方ＩＰ電話機の情報（例えばＩＰ電話機の電話機番号を含む）を取得して、相手方のＩＰ電話機がどれであるかを知り、ディスプレイ１１２の表示画面１１２Ｄへの表示を行うようにする。
【００５５】
次に、図３のシーケンス図に戻る。ＩＰ電話機３１からＩＰ電話機３２への、生成された通話路を通じた電話連絡メッセージの回覧伝達が終了した後、ＩＰ電話機３１でオンフック操作がなされると、当該ＩＰ電話機３１は終話となり、電話連絡回覧シーケンスから離脱する。
【００５６】
そして、一方、ＩＰ電話機３１からＩＰ電話機３２への通話路を通じた電話連絡メッセージの回覧伝達が終了した後、ＩＰ電話機３２で所定の操作の例としてのオンフック操作がなされると、この例の電話連絡回覧方法におけるシーケンスにおいては、当該時点のオンフック操作は保留キー操作（保留解除操作）として検知され、このときには、保留されているＩＰ電話機３０からの呼に対する保留解除要求がＳＩＰサーバ１に送られる。これにより、ＩＰ電話機３０からの呼は、ＩＰ電話機３２に転送されて、ＩＰ電話機３０とＩＰ電話機３２とが通話状態になる。このとき、ＩＰ電話機３０は、ＳＩＰサーバからの呼制御のためのメッセージにより、ＩＰ電話機３２との通話路が生成されたことを認識し、ＩＰ電話機３２への回覧伝達が終了したことを認識する。
【００５７】
次に、ＩＰ電話機３２は、転送回覧メンバー情報メモリ１１１の回覧メンバー情報を参照して、さらに回覧伝達すべきメンバーが存在するか否かを判別する。ここでは、ＩＰ電話機３３が存在するので、ＩＰ電話機３３は、保留要求をＳＩＰサーバ１に送る。これにより、ＩＰ電話機３０からの呼は、再度、保留状態となる。
【００５８】
そして、この実施形態では、回覧メッセージの伝達終了後の所定の操作の例としてのオンフックをトリガーとして、ＩＰ電話機３２は、存在していると判別した回覧伝達すべきメンバーである次順位のＩＰ電話機３３の電話番号を読み出して、当該ＩＰ電話機３３に対して転送回覧発信の発呼を行う。
【００５９】
この転送回覧発信の発呼には、転送回覧メンバー情報メモリ１１１に記憶されている回覧メンバー情報の先頭にある自ＩＰ電話機３２の回覧メンバー情報（電話機番号と電話番号）を削除して再更新した再更新回覧メンバー情報を付加するようにする。この再更新回覧メンバー情報は、順次に下位の回覧メンバーが繰り上がった状態のものとなっている。したがって、ここでは、再更新回覧メンバー情報は、ＩＰ電話機３３のみについてのものとなる。
【００６０】
このＩＰ電話機３２からの転送回覧発信の発呼は、ＳＩＰサーバ１を介して、ＩＰ電話機３３において着呼となる。
【００６１】
図４に示すように、この着呼に対してＩＰ電話機３３で使用者により応答操作がなされると、ＳＩＰサーバ１を通じて応答メッセージがＩＰ電話機３２に送られ、ＩＰ電話機３２とＩＰ電話機３３との間に通話路が生成される。この通話路生成に先立ち、ＩＰ電話機３３では、回線発信の発呼メッセージに含まれる再更新回覧メンバー情報を抽出して、転送回覧メンバー情報メモリ１１１に記憶保持する。
【００６２】
そして、生成された通話路を通じてＩＰ電話機３２の使用者から、ＩＰ電話機３３の使用者に対して回覧メッセージが伝達される。
【００６３】
このＩＰ電話機３２とＩＰ電話機３３との間に通話路が生成されている状態における各ＩＰ電話機３０〜３３の表示画面１１２Ｄにおける表示例を図７に示す。すなわち、このときには、図７に示すように、ＩＰ電話機３０では、ＩＰ電話機３２への回覧伝達が終了したことを、ＩＰ電話機３２との通話路の生成後の保留状態への以降により検知するので、ＩＰ電話機３０のディスプレイ１１２の表示画面１１２Ｄでは、回覧メンバーであるＩＰ電話機３１〜３３の番号の一覧において、ＩＰ電話機３１の番号「１」と、ＩＰ電話機３２の番号「２」のアンダーラインが消えており、ＩＰ電話機３２への回覧伝達も終了したことを表示する。
【００６４】
そして、通話状態であるＩＰ電話機３２とＩＰ電話機３３の表示画面１１２Ｄでは、図７に示すように、通話の相手方の電話機番号がそれぞれ表示される状態となる。また、ＩＰ電話機３１の表示画面１１２Ｄは、終話となっているので、通話中の電話機番号の表示は存在しない表示状態となる。
【００６５】
次に、図４のシーケンス図に戻り、ＩＰ電話機３２からＩＰ電話機３３への、生成された通話路を通じた電話連絡メッセージの回覧伝達が終了した後、ＩＰ電話機３２でオンフック操作がなされると、当該ＩＰ電話機３２は終話となり、電話連絡回覧シーケンスから離脱する。
【００６６】
そして、一方、ＩＰ電話機３２からＩＰ電話機３３への電話連絡メッセージの回覧伝達が終了した後、ＩＰ電話機３３で所定の操作の例としてのオンフック操作がなされると、この例の電話連絡回覧方法におけるシーケンスにおいては、当該時点のオンフック操作は保留キー操作として検知され、保留されているＩＰ電話機３０からの呼に対する保留解除要求がＳＩＰサーバ１に送られる。これにより、ＩＰ電話機３０からの呼は、ＩＰ電話機３３に転送されて、ＩＰ電話機３０とＩＰ電話機３３とが通話状態になる。ＩＰ電話機３０は、これにより、ＩＰ電話機３３との通話路が生成されたことを認識し、ＩＰ電話機３３への回覧伝達が終了したことを認識する。
【００６７】
次に、ＩＰ電話機３３は、転送回覧メンバー情報メモリ１１１の回覧メンバー情報を参照して、さらに回覧伝達すべきメンバーが存在するか否かを判別する。ここでは、回覧メンバー情報には、自端末であるＩＰ電話機３３のメンバー情報しかないので、さらに回覧伝達すべきメンバーは存在しないと判別する。そして、ＩＰ電話機３３は、オンフックをトリガーとして、ＩＰ電話機３０との終話のための処理を行うようにする。
【００６８】
こうして、回覧メンバー情報に登録された全ての回覧メンバーに対する回覧伝達が、当該回覧メンバー情報における各電話機の回覧順にしたがって実行される。なお、４台以上のＩＰ電話機に対して電話連絡回覧シーケンスを行う場合には、前述した第３の電話機としてのＩＰ電話機３における動作が繰り返されるものである。
【００６９】
回覧メンバー情報に登録された全ての回覧メンバーに対する回覧伝達が終了したときの、各ＩＰ電話機３０〜３３の表示画面１１２Ｄにおける表示例を図８に示す。
【００７０】
すなわち、このときには、図８に示すように、ＩＰ電話機３０では、ＩＰ電話機３１〜ＩＰ電話機３３の全てへの回覧伝達が終了したことを検知しているので、ＩＰ電話機３０のディスプレイ１１２の表示画面１１２Ｄでは、回覧メンバーであるＩＰ電話機３１〜３３の番号の一覧において、ＩＰ電話機３１〜ＩＰ電話機３３の番号「１」〜「３」のアンダーラインが全て消えており、回覧メンバーであるＩＰ電話機３１〜３３の全てへの回覧伝達が終了したことを表示する。
【００７１】
このとき、通話状態であるＩＰ電話機はないので、ＩＰ電話機３０以外の他のＩＰ電話機３１〜３３の表示画面１１２Ｄでは、図８に示すように、通話の相手方の電話機番号は表示されず、それぞれの電話機名と、年月日および時刻が表示される状態となる。
【００７２】
図３および図４に示したシーケンス例は、回覧メンバーへの回覧伝達が、回覧メンバー情報の回覧順序の通りに、順調に実行できた場合である。しかし、回覧順序にしたがって回覧伝達を行ったが、相手が通話中であった、あるいは不在であった、などのときにおいては、回覧順序にしたがった回覧伝達はできなくなる。
【００７３】
次に説明する図９および図１０に示すシーケンス例は、このような場合を想定した例である。すなわち、この図９および図１０に示すシーケンス例は、上述のような回覧メンバー情報が設定入力されて、回覧発信がなされて、上述のような回覧伝達のシーケンスが実行されたときに、ＩＰ電話機３１からＩＰ電話機３２への転送回覧発信に対して、ＩＰ電話機３２が不応答であった場合の例である。
【００７４】
図９に示すように、この場合のシーケンス例においては、ＩＰ電話機３０に回覧メンバー情報が設定入力されて、発信元回覧メンバー情報メモリ１１０に記憶保持され、その後、回覧発信操作がなされて、ＩＰ電話機３１への回覧伝達が終了し、その後、ＩＰ電話機３１でのオンフック操作をトリガーとして、ＩＰ電話機１が、次のＩＰ電話機３２へ転送回覧発信するまでのシーケンスは、前述のシーケンス例と同様である。
【００７５】
この例においては、ＩＰ電話機３１は、当該ＩＰ電話機３１からの転送回覧発信の着呼に対してＩＰ電話機３２が不応答であることを、例えば、発信から所定時間の経過によるタイムアウトにより検出する。
【００７６】
すると、ＩＰ電話機３１は、再度、更新回覧メンバー情報の、さらに次順位のＩＰ電話機であるＩＰ電話機３３の電話番号を読み出して、当該ＩＰ電話機３３に対して転送回覧発信を行う。この際の転送回覧発信には、発信先であるＩＰ電話機３３のメンバー情報が先頭にあり、その次に、未了であるＩＰ電話機３２のメンバー情報が記述された更新回覧メンバー情報が付加される。
【００７７】
このＩＰ電話機３１からの転送回覧発信の発呼は、ＳＩＰサーバ１を介して、ＩＰ電話機３３において着呼となる。この着呼に対してＩＰ電話機３３で使用者により応答操作がなされると、ＳＩＰサーバ１を通じて応答メッセージがＩＰ電話機３１に送られ、ＩＰ電話機３１とＩＰ電話機３３との間に通話路が生成される。この通話路生成に先立ち、ＩＰ電話機３３では、回線発信の発呼メッセージに含まれる更新回覧メンバー情報を抽出して、転送回覧メンバー情報メモリ１１１に記憶保持する。
【００７８】
そして、生成された通話路を通じてＩＰ電話機３１の使用者から、ＩＰ電話機３３の使用者に対して回覧メッセージが伝達される。
【００７９】
このＩＰ電話機３１とＩＰ電話機３３との間に通話路が生成されている状態における各ＩＰ電話機３０〜３３の表示画面１１２Ｄにおける表示例を図１１に示す。すなわち、このときには、図１１に示すように、ＩＰ電話機３０では、ＩＰ電話機３１への回覧伝達が終了したことを、ＩＰ電話機３１との通話の後の保留状態への以降により検知するので、ＩＰ電話機３０のディスプレイ１１２の表示画面１１２Ｄでは、回覧メンバーであるＩＰ電話機３１〜３３の番号の一覧において、ＩＰ電話機３１の番号「１」のアンダーラインが消えており、ＩＰ電話機３１への回覧伝達が終了したことを表示する。
【００８０】
そして、通話状態であるＩＰ電話機３１とＩＰ電話機３３の表示画面１１２Ｄでは、図１１に示すように、通話の相手方の電話機番号がそれぞれ表示される状態となる。
【００８１】
次に、図９のシーケンス図に戻る。ＩＰ電話機３１からＩＰ電話機３３への、生成された通話路を通じた電話連絡メッセージの回覧伝達が終了した後、ＩＰ電話機３１でオンフック操作がなされると、当該ＩＰ電話機３１は終話となり、電話連絡回覧シーケンスから離脱する。
【００８２】
そして、一方、ＩＰ電話機３１からＩＰ電話機３３への電話連絡メッセージの回覧伝達が終了した後、ＩＰ電話機３３で所定の操作の例としてのオンフック操作がなされると、この例の電話連絡回覧方法におけるシーケンスにおいては、当該時点のオンフック操作は保留キー操作として検知され、保留されているＩＰ電話機３０からの呼に対する保留解除要求がＳＩＰサーバ１に送られる。これにより、ＩＰ電話機３０からの呼は、ＩＰ電話機３３に転送されて、ＩＰ電話機３０とＩＰ電話機３３とが通話状態になる。ＩＰ電話機３０は、これにより、ＩＰ電話機３３との通話路が生成されたことを認識し、ＩＰ電話機３３への回覧伝達が終了したことを認識する。
【００８３】
次に、ＩＰ電話機３３は、転送回覧メンバー情報メモリ１１１の更新回覧メンバー情報を参照して、さらに回覧伝達すべきメンバーが存在するか否かを判別する。ここでは、回覧伝達未了であったＩＰ電話機３２が存在するので、ＩＰ電話機３３は、保留要求をＳＩＰサーバ１に送る。これにより、ＩＰ電話機３０からの呼は、再度、保留状態となる。
【００８４】
そして、この実施形態では、回覧メッセージの伝達終了後のオンフックをトリガーとして、ＩＰ電話機３３は、存在していると判別した回覧伝達すべきメンバーであるＩＰ電話機３２の電話番号を読み出して、当該ＩＰ電話機３２に対して転送回覧発信の発呼を行う。
【００８５】
この転送回覧発信の発呼には、転送回覧メンバー情報メモリ１１１に記憶されている回覧メンバー情報の先頭にある自ＩＰ電話機３３の回覧メンバー情報（電話機番号と電話番号）を削除して再更新した再更新回覧メンバー情報を付加するようにする。この再更新回覧メンバー情報は、順次に下位の回覧メンバーが繰り上がった状態のものとなっている。したがって、ここでは、再更新回覧メンバー情報は、ＩＰ電話機３２のみについてのものとなる。
【００８６】
このＩＰ電話機３３からの転送回覧発信の発呼は、ＳＩＰサーバ１を介して、ＩＰ電話機３２において着呼となる。
【００８７】
図１０に示すように、この着呼に対してＩＰ電話機３２で使用者により応答操作がなされると、ＳＩＰサーバ１を通じて応答メッセージがＩＰ電話機３３に送られ、ＩＰ電話機３３とＩＰ電話機３２との間に通話路が生成される。この通話路生成に先立ち、ＩＰ電話機３２では、回線発信の発呼メッセージに含まれる再更新回覧メンバー情報を抽出して、転送回覧メンバー情報メモリ１１１に記憶保持する。
【００８８】
そして、生成された通話路を通じてＩＰ電話機３３の使用者から、ＩＰ電話機３２の使用者に対して回覧メッセージが伝達される。
【００８９】
このＩＰ電話機３３とＩＰ電話機３２との間に通話路が生成されている状態における各ＩＰ電話機３０〜３３の表示画面１１２Ｄにおける表示例を図１２に示す。すなわち、このときには、図１２に示すように、ＩＰ電話機３０では、ＩＰ電話機３３への回覧伝達が終了したことを、ＩＰ電話機３３との通話路の生成後の保留状態への移行により検知するので、ＩＰ電話機３０のディスプレイ１１２の表示画面１１２Ｄでは、回覧メンバーであるＩＰ電話機３１〜３３の番号の一覧において、ＩＰ電話機３１の番号「１」と、ＩＰ電話機３３の番号「３」のアンダーラインが消えたものとなる。しかし、ＩＰ電話機３２への回覧伝達は、未了であるので、当該ＩＰ電話機３２の番号「２」には、アンダーラインが表示されたものとなる。
【００９０】
そして、通話状態であるＩＰ電話機３３とＩＰ電話機３２の表示画面１１２Ｄでは、図１２に示すように、通話の相手方の電話機番号がそれぞれ表示される状態となる。また、ＩＰ電話機３１の表示画面１１２Ｄは、通話がなされていないので、通話中の電話機番号の表示は存在しない表示状態となる。
【００９１】
次に、図１１のシーケンス図に戻り、ＩＰ電話機３３からＩＰ電話機３２への、生成された通話路を通じた電話連絡メッセージの回覧伝達が終了した後、ＩＰ電話機３３でオンフック操作がなされると、当該ＩＰ電話機３３は終話となり、電話連絡回覧シーケンスから離脱する。
【００９２】
そして、一方、ＩＰ電話機３３からＩＰ電話機３２への電話連絡メッセージの回覧伝達が終了した後、ＩＰ電話機３２で所定の操作の例としてのオンフック操作がなされると、この例の電話連絡回覧方法におけるシーケンスにおいては、当該時点のオンフック操作は保留キー操作として検知され、保留されているＩＰ電話機３０からの呼に対する保留解除要求がＳＩＰサーバ１に送られる。これにより、ＩＰ電話機３０からの呼は、ＩＰ電話機３２に転送されて、ＩＰ電話機３０とＩＰ電話機３２とが通話状態になる。ＩＰ電話機３０は、これにより、ＩＰ電話機３２との通話路が生成されたことを認識し、ＩＰ電話機３２への回覧伝達が終了したことを認識する。
【００９３】
次に、ＩＰ電話機３２は、転送回覧メンバー情報メモリ１１１の回覧メンバー情報を参照して、さらに回覧伝達すべきメンバーが存在するか否かを判別する。ここでは、回覧メンバー情報には、自端末であるＩＰ電話機３２のメンバー情報しかないので、さらに回覧伝達すべきメンバーは存在しないと判別する。そして、ＩＰ電話機３２は、オンフックをトリガーとして、ＩＰ電話機３０との終話のための処理を行うようにする。
【００９４】
こうして、回覧メンバー情報に登録された全ての回覧メンバーに対する回覧伝達ができる。この図９および図１０に示したシーケンス例は、回覧メンバーが４台の電話端末である場合であるが、４台以上の電話端末が回覧メンバーとなっている場合にも、同様の処理動作とすることにより、不応答の電話端末への回覧伝達を後回しにすることで、順時に回覧伝達することができる。
【００９５】
なお、図９および図１０のシーケンス例においては、最後の回覧メンバーであるＩＰ電話機まで、回覧伝達ができた場合である。しかし、もしも、ＩＰ電話機３３からのＩＰ電話機３２への転送回覧発信に対しても、ＩＰ電話機３２が不応答である場合には、ＩＰ電話機３３は、さらに次順位の回覧メンバーが存在するか否か判別し、存在すれば、当該ＩＰ電話機に対して転送回覧発信を行うが、さらに次順位の回覧メンバーが存在しないと判別したときには、保留中のＩＰ電話機３０からの呼の保留を解除して、ＩＰ電話機３０とＩＰ電話機３３との間に再度通話路を生成し、その後、終話処理をするようにする。なお、この場合に、不応答であるため、回覧伝達ができなかった次順位のＩＰ電話機が、複数台である場合もある。
【００９６】
そして、回覧伝達ができなかった次順位のＩＰ電話機が、１台、または複数台ある場合には、回覧伝達の発信元であるＩＰ電話機３０は、前述したように、回覧伝達が未了であるＩＰ電話機３２を認識しているので、当該ＩＰ電話機３０が、回覧伝達未了であるＩＰ電話機３２に対して、発呼を行って、電話連絡のメッセージを伝達するようにすることができる。この場合に、未了のＩＰ電話機が複数個ある場合には、再度、それら未了のＩＰ電話機を回覧メンバーとして、上述した回覧発信を、ＩＰ電話機３０が行うようにすることもできる。
【００９７】
［電話連絡回覧シーケンスにおけるＩＰ電話機での処理動作］
＜回覧伝達の発信元ＩＰ電話機の場合＞
図１３に、上述した電話連絡回覧シーケンスを実現するための回覧伝達の発信元ＩＰ電話機の処理ルーチンの例を示す。回覧伝達の発信元ＩＰ電話機は、上述のシーケンス例では、ＩＰ電話機３０である。この図１３のフローチャートにおける処理ルーチンにおける各ステップは、発信元ＩＰ電話機のＣＰＵ１０１が主として実行するものである。
【００９８】
まず、回覧伝達の発信元ＩＰ電話機では、回覧メンバー情報として、この例では、電話機番号と、電話番号との設定入力を受け付けて、その受け付けた回覧メンバー情報を、発信元回覧メンバー情報メモリ１１０に、格納保持する（ステップＳ１）。このとき、複数の回覧メンバーについての回覧順序を併せて設定入力されることになるのは、前述した通りである。
【００９９】
次に、発信元ＩＰ電話機のＣＰＵ１０１は、使用者からの回覧発信操作を待ち（ステップＳ２）、回覧発信操作がなされたことを検知すると、回覧メンバー情報の先頭にある最初の順位のＩＰ電話機に対して回覧発信の発呼を行う（ステップＳ３）。この回覧発信の発呼時の情報には、回覧メンバー情報が含まれるのは前述した通りである。この回覧発信がなされると、前述したように、発信元ＩＰ電話機のＣＰＵ１０１は、ディスプレイ１１２の表示画面１１２Ｄに、回覧メンバーの一覧表示として、それらの電話機番号を表示すると共に、回覧伝達未了を意味するアンダーラインを伴って表示する。
【０１００】
次に、発信元ＩＰ電話機のＣＰＵ１０１は、相手方のＩＰ電話機からの応答メッセージを待って、相手方が応答したか否かを判別し（ステップＳ４）、相手方が不応答であると判別したときには、回覧メンバー情報の次の順番のＩＰ電話機に対して回覧発信の発呼を行う。このときには、付加する回覧メンバー情報は、その先頭に、当該回覧発信の相手方のメンバー情報（電話機番号と電話番号）を記述したものとするように並べ替える（ステップＳ５）。そして、ＣＰＵ１０１は、ステップＳ４に戻る。
【０１０１】
ステップＳ４で、相手方が応答したと判別したときには、ＣＰＵ１０１は、ＳＩＰサーバ１の介在を受けて、通話路を生成する（ステップＳ６）。このとき、ＣＰＵ１０１は、ＳＩＰサーバから送られてくる呼設定のためのメッセージから、相手方のＩＰ電話機を検知する。発信元ＩＰ電話機の使用者は、生成された通話路を通じて、相手方のＩＰ電話機の使用者に対して、口頭で連絡メッセージを伝達する。
【０１０２】
前述のシーケンス例で説明したように、口頭による連絡メッセージを受け取った相手方ＩＰ電話機の使用者によるオンフック操作に基づいて、ＳＩＰサーバ１を通じて保留状態を知らせるメッセージが届くので、発信元ＩＰ電話機は、自分が保留状態になったことを知る（ステップＳ７）。この呼の保留状態は、ＳＩＰサーバ１が管理する他のＩＰ電話機に対しても通知される。保留状態になったら、使用者は、ハンドセットＨＳをＩＰ電話機本体に置いて、オンフックすることができる。
【０１０３】
この時点で、発信元ＩＰ電話機のＣＰＵ１０１は、通話路を生成した相手方のＩＰ電話機に対して回覧伝達が終了したことを検知し、ディスプレイ１１２の表示画面１１２Ｄに表示されている回覧メンバーの一覧表示のうち、当該回覧伝達が終了したＩＰ電話機の電話機番号のアンダーラインを消去して、当該ＩＰ電話機への回覧伝達が終了したことを表示する。
【０１０４】
次に、発信元ＩＰ電話機のＣＰＵ１０１は、ＳＩＰサーバ１を通じて保留中の呼についての保留解除のメッセージを受け取ると、当該呼が転送された相手のＩＰ電話機との間の通話路を生成する（ステップＳ８）。このとき、発信元ＩＰ電話機のＣＰＵ１０１は、前述と同様にして、ＳＩＰサーバから送られてくる呼設定のためのメッセージから、生成する通話路の相手方のＩＰ電話機を検知する。
【０１０５】
次に、発信元ＩＰ電話機のＣＰＵ１０１は、終話のためのメッセージが到来したか否か判別し（ステップＳ９）、到来していないと判別したときには、保留状態への移行のためのメッセージが到来したか否か判別する（ステップＳ１０）。
【０１０６】
そして、ステップＳ１０で保留状態への移行のためのメッセージが到来したと判別したときには、発信元ＩＰ電話機のＣＰＵ１０１は、ステップＳ７に戻って保留状態を認識する。この時点で、発信元ＩＰ電話機のＣＰＵ１０１は、ステップＳ８で通話路を生成した相手方のＩＰ電話機に対して回覧伝達が終了したことを検知し、ディスプレイ１１２の表示画面１１２Ｄに表示されている回覧メンバーの一覧表示のうち、当該回覧伝達が終了したＩＰ電話機の電話機番号のアンダーラインを消去して、当該ＩＰ電話機への回覧伝達が終了したことを表示する。
【０１０７】
また、ステップＳ１０で保留状態への移行のためのメッセージが到来していないと判別したときには、発信元ＩＰ電話機のＣＰＵ１０１は、ステップＳ９に戻り、終話のためのメッセージが到来したか否か判別する。そして、このステップＳ９で、終話のためのメッセージが到来したと判別したときには、発信元ＩＰ電話機のＣＰＵ１０１は、電話連絡回覧処理シーケンスが終了したと判断して、この処理ルーチンを終了する。
【０１０８】
＜転送回覧発信するＩＰ電話機の場合＞
図１４およびその続きである図１５に、上述した電話連絡回覧シーケンスを実現するための回覧伝達の転送回覧発信するＩＰ電話機（以下、回覧転送ＩＰ電話機という）の処理ルーチンの例を示す。回覧転送ＩＰ電話機は、上述のシーケンス例では、ＩＰ電話機３１〜３３である。この図１４および図１５のフローチャートに示す処理ルーチンにおける各ステップは、回覧転送ＩＰ電話機のＣＰＵ１０１が主として実行するものである。
【０１０９】
回覧転送ＩＰ電話機のＣＰＵ１０１は、着呼を監視し（ステップＳ１１）、着呼を検知しないときには、その他の処理ルーチンに移行する（ステップＳ１２）。そして、ステップＳ１１で、着呼を検知したときには、回覧転送ＩＰ電話機のＣＰＵ１０１は、使用者による応答操作があったか否か判別し（ステップＳ１３）、応答操作が無かったと判別したときには、発信側が切断するのを待つなどの不応答時の処理を行う。
【０１１０】
ステップＳ１３で、応答操作があったと判別したときには、回覧転送ＩＰ電話機のＣＰＵ１０１は、着呼時の情報に、回覧メンバー情報が含まれているか否かなどにより、回覧発信の着呼か否かを判別し（ステップＳ１４）、回覧発信の着呼ではないと判別したときには、通常の着信処理ルーチンに移行する（ステップＳ１５）。
【０１１１】
ステップＳ１４で、回覧発信の着呼であると判別したときには、回覧転送ＩＰ電話機のＣＰＵ１０１は、回覧発信（転送回覧発信の場合も含む）の着呼時の情報として付加されている回覧メンバー情報または更新回覧メンバー情報、あるいは再更新回覧メンバー情報を抽出して、転送回覧メンバー情報メモリ１１１に一時格納保持する（ステップＳ１６）。
【０１１２】
そして、次に、回覧転送ＩＰ電話機のＣＰＵ１０１は、ＳＩＰサーバ１の介在を受けて、回覧発信（転送回覧発信の場合も含む）をしてきた相手方のＩＰ電話機との間で通話路を生成する（ステップＳ１７）。このとき、ＣＰＵ１０１は、ＳＩＰサーバから送られてくる呼設定のためのメッセージから、相手方のＩＰ電話機を検知し、自端末のディスプレイ１１２の表示画面１１２Ｄに、生成された通話路の相手方の電話機番号を表示する。
【０１１３】
そして、生成された通話路を通じた、回覧転送ＩＰ電話機のＣＰＵ１０１の使用者は、回覧発信（転送回覧発信の場合も含む）をしてきた相手方のＩＰ電話機の使用者からの口頭での連絡メッセージの伝達を受ける。
【０１１４】
前述のシーケンス例で説明したように、口頭による連絡メッセージを受け取った回覧転送ＩＰ電話機の使用者は、その後、所定の操作の例としてのオンフック操作をするようにするので、回覧転送ＩＰ電話機のＣＰＵ１０１は、当該オンフック操作を待ち（ステップＳ１８）、オンフック操作を検知すると、転送回覧メンバー情報メモリ１１０に保持されている回覧メンバー情報または更新回覧メンバー情報、あるいは再更新回覧メンバー情報から、自電話機のメンバー情報を削除しておく（ステップＳ１９）。
【０１１５】
そして、回覧転送ＩＰ電話機のＣＰＵ１０１は、保留中の呼があるか否か判別し（ステップＳ２０）、保留中の呼が無いと判別したときには、通話中の呼についての保留要求を送出して保留状態とする（図１５のステップＳ３３）。このステップＳ１９からステップＳ３３に移行する流れは、前述の例で言うと、発信元ＩＰ電話機３０からＩＰ電話機３１に回覧伝達された場合におけるＩＰ電話機３１での処理である。
【０１１６】
ステップＳ２０で、保留中の呼があると判別したときには、回覧転送ＩＰ電話機のＣＰＵ１０１は、その保留の解除要求を送出して、保留中の呼の相手方（被保留端末側）との間で通話路を生成する（ステップＳ２１）。
【０１１７】
そして、その後、回覧転送ＩＰ電話機のＣＰＵ１０１は、転送回覧メンバー情報メモリ１１１に記憶保持されている更新回覧メンバー情報、あるいは再更新回覧メンバー情報を参照して、次順位の他の回覧メンバーが存在するか否か判別し（図１５のステップＳ３１）、次順位の他の回覧メンバーが存在しないと判別したときには、終話処理を実行して（ステップＳ３２）、この処理ルーチンを終了する。つまり、回覧シーケンスは終了となる。この場合には、回覧メンバーの全てに回覧伝達が完了したことになる。
【０１１８】
また、ステップＳ３１で、次順位の他の回覧メンバーが存在すると判別したときには、回覧転送ＩＰ電話機のＣＰＵ１０１は、ステップＳ３３に進んで、通話中の呼についての保留要求を送出して保留状態とする。
【０１１９】
このステップＳ１９からステップＳ２０、ステップＳ２１、ステップＳ３１、ステップＳ３２およびステップＳ３３を含む流れは、前述の例で言うと、ＩＰ電話機３１からＩＰ電話機３２、あるいはＩＰ電話機３２からＩＰ電話機３３への転送回覧発信がされた場合におけるＩＰ電話機３２、あるいはＩＰ電話機３３での処理である。
【０１２０】
ステップＳ３３の次には、回覧転送ＩＰ電話機のＣＰＵ１０１は、ステップＳ１９で自電話機のメンバー情報を削除した更新回覧メンバー情報または再更新回覧メンバー情報を参照して、その先頭にある次順位のＩＰ電話機の電話番号を、転送回覧メンバー情報メモリ１１１から読み出して、当該次順位のＩＰ電話機に対して、転送回覧発信を行う（ステップＳ３４）。この転送回覧発信には、ステップＳ１９で自電話機のメンバー情報を削除した回覧メンバー情報が付加する。
【０１２１】
次に、回覧転送ＩＰ電話機のＣＰＵ１０１は、相手方のＩＰ電話機からの応答メッセージを待って、相手方が応答したか否かを判別し（ステップＳ３５）、相手方が応答したと判別したときには、回覧転送ＩＰ電話機のＣＰＵ１０１は、ＳＩＰサーバ１の介在を受けて、通話路を生成する（ステップＳ３６）。このとき、ＣＰＵ１０１は、ＳＩＰサーバから送られてくる呼設定のためのメッセージから、相手方のＩＰ電話機を検知し、自端末のディスプレイ１１２の表示画面１１２Ｄに、生成された通話路の相手方の電話機番号を表示する。
【０１２２】
そして、生成された通話路を通じた、回覧転送ＩＰ電話機のＣＰＵ１０１の使用者は、転送回覧発信をした相手方のＩＰ電話機の使用者に対して口頭での連絡メッセージの伝達をする。
【０１２３】
回覧転送ＩＰ電話機の使用者は、相手方のＩＰ電話機の使用者に対して、口頭での連絡メッセージを伝達した後、オンフック操作をする。回覧転送ＩＰ電話機のＣＰＵ１０１は、このオンフック操作を待ち（ステップＳ３７）、オンフック操作を検知したら、終話処理を実行して（ステップＳ３２）、この処理ルーチンを終了し、回覧シーケンスから離脱する。
【０１２４】
ステップＳ３５で、相手方が不応答であると判別したときには、回覧転送ＩＰ電話機のＣＰＵ１０１は、転送回覧メンバー情報メモリ１１１に保持されている回覧メンバー情報に次順位のメンバー情報があるか否か判別し（ステップＳ３９）、次順位のメンバー情報があると判別したときには、当該次順位のＩＰ電話機に対して転送回覧発信の発呼を行う。このときには、付加する回覧メンバー情報は、その先頭に、当該回覧発信の相手方のメンバー情報（電話機番号と電話番号）を記述したものとするように並べ替える（ステップＳ４０）。そして、ＣＰＵ１０１は、ステップＳ３５に戻る。
【０１２５】
また、ステップＳ３９で、回覧メンバー情報に次順位のメンバー情報が無いと判別したときには、回覧転送ＩＰ電話機のＣＰＵ１０１は、保留解除要求を出して、発信元ＩＰ電話機の呼の保留を解除して、自電話機との間で通話路を生成し（ステップＳ４１）、その後、終話処理を行う（ステップＳ４２）。これは、回覧伝達が未了のＩＰ電話機を残して、回覧シーケンスを終了する場合である。
【０１２６】
以上のようにして、この実施形態の電話連絡回覧方法によれば、設定した回覧メンバーに対して、設定した回覧順序で、通話による回覧伝達ができる。しかも、発信元電話端末では、回覧伝達が完了した電話端末と、回覧伝達が未了の電話端末を検出することができる。
【０１２７】
［他の実施形態および変形例］
なお、上述の実施形態の処理ルーチンにおいては、回覧メンバー情報から、自端末のメンバー情報を削除するのは、オフフック操作があった後としたが、これは、転送回覧発信を行うときであっても良い。その場合には、転送回覧発信する最初の相手は、先頭の自端末の次の電話端末となるものである。
【０１２８】
また、上述の実施形態では、転送回覧発信のトリガーとなる所定の操作は、オンフック操作としたが、これに限らず、他の特定の操作としてもよい。例えば、回覧転送キーを設けて、当該回覧転送キーをトリガーとして、転送回覧発信を実行するようにしても良い。
【０１２９】
また、発信元ＩＰ電話機のディスプレイ１１２の表示画面における回覧メンバー情報の一覧および回覧伝達の完了および未了の表示方法は、上述した例に限られるものではない。例えば、回覧メンバーの一覧において、最初は、全てのメンバーの電話機番号などの表示を濃くクリアに表示しておき、回覧伝達が完了したメンバーの電話機番号などの表示を薄く表示するように変更するようにしても良い。また、回覧伝達が未了のメンバーの電話機番号などの表示は点滅させ、回覧伝達が完了したら、点滅を停止するなどの表示制御方法を用いても良い。
【０１３０】
また、上述の実施形態では、回覧メンバー情報には、回覧メンバーの電話番号を含めるようにしたが、ＩＰ電話システムを構成するＩＰ電話機の全てに、電話機番号と電話番号との対応テーブルを予め記憶させておくようにしておき、回覧メンバー情報には、電話機番号のみを含めるようにしても良い。その場合には、転送回覧発信に際しては、回覧メンバー情報に含まれる電話機番号を検索子として、その電話番号を対応テーブルメモリから読み出すようにすればよい。
【０１３１】
また、回覧メンバーの設定入力は、例えばＩＰ電話機が電話帳情報を備えている場合には、その電話帳情報から、選択して設定入力することができる。その場合には、使用者は、電話番号の入力は不要となり、回覧メンバー情報中の電話番号の情報は、電話帳情報からコピーされるものである。
【０１３２】
そして、電話帳情報中に、電話番号に対応して相手の名前が登録されているときには、その登録されている名前を、上述例の電話機番号に代えて、回覧メンバー情報に含めることができる。その場合には、ＩＰ電話機の表示画面１１２Ｄには、電話機番号に代えて相手の名前を表示することができる。
【０１３３】
また、ＩＰ電話システムを構成するＩＰ電話機の全てに、電話機番号と電話番号との対応テーブルを予め記憶させておくようにした場合において、それぞれの電話番号に対応して前記の名前を登録してある場合には、回覧メンバー情報には、名前そのものではなく電話機番号を含めておき、表示画面１１２Ｄへの表示の際に、名前に変更するようにすることもできる。
【０１３４】
なお、上述の実施形態は、ＩＰ電話システム内のＩＰ電話機間における回覧伝達について説明したが、回覧メンバーとしては、ＩＰ網４を通じて図示を省略したＩＰ電話システム外の電話端末を設定入力することも、もちろんできる。
【０１３５】
また、上述の実施形態は、この発明が適用される電話システムが、ＳＩＰサーバを用いたＩＰ電話通信システムである場合であるが、この発明が適用される電話システムは、ＩＰ電話通信システムに限られるものではなく、例えば、回線交換装置としての主装置と、ボタン電話機とからなるボタン電話システムや、その他の種々の電話システムでもよい。
【図面の簡単な説明】
【０１３６】
【図１】この発明による電話連絡回覧方法の実施形態が適用されるＩＰ電話システムの一例の構成例を示すブロック図である。
【図２】この発明による電話連絡回覧方法の実施形態が適用されるＩＰ電話システムの一例を構成するＩＰ電話機の構成例を示すブロック図である。
【図３】この発明による電話連絡回覧方法の実施形態を説明するためのシーケンス例を示す図である。
【図４】この発明による電話連絡回覧方法の実施形態を説明するためのシーケンス例を示す図である。
【図５】この発明による電話連絡回覧方法の実施形態が適用されるＩＰ電話システムの一例を構成するＩＰ電話機の表示画面における表示例を説明するための図である。
【図６】この発明による電話連絡回覧方法の実施形態が適用されるＩＰ電話システムの一例を構成するＩＰ電話機の表示画面における表示例を説明するための図である。
【図７】この発明による電話連絡回覧方法の実施形態が適用されるＩＰ電話システムの一例を構成するＩＰ電話機の表示画面における表示例を説明するための図である。
【図８】この発明による電話連絡回覧方法の実施形態が適用されるＩＰ電話システムの一例を構成するＩＰ電話機の表示画面における表示例を説明するための図である。
【図９】この発明による電話連絡回覧方法の実施形態を説明するためのシーケンス例を示す図である。
【図１０】この発明による電話連絡回覧方法の実施形態を説明するためのシーケンス例を示す図である。
【図１１】この発明による電話連絡回覧方法の実施形態が適用されるＩＰ電話システムの一例を構成するＩＰ電話機の表示画面における表示例を説明するための図である。
【図１２】この発明による電話連絡回覧方法の実施形態が適用されるＩＰ電話システムの一例を構成するＩＰ電話機の表示画面における表示例を説明するための図である。
【図１３】この発明による電話連絡回覧方法の実施形態が適用されるＩＰ電話システムの一例を構成するＩＰ電話機における処理の流れを説明するためのフローチャートである。
【図１４】この発明による電話連絡回覧方法の実施形態が適用されるＩＰ電話システムの一例を構成するＩＰ電話機における処理の流れを説明するためのフローチャートである。
【図１５】この発明による電話連絡回覧方法の実施形態が適用されるＩＰ電話システムの一例を構成するＩＰ電話機における処理の流れを説明するためのフローチャートである。
【符号の説明】
【０１３７】
１…ＳＩＰサーバ、２…ハブ、３０〜３ｎ…ＩＰ電話機、１１０…発信元回覧メンバー情報メモリ、１１１…転送回覧メンバー情報メモリ
【図１】
2009088794.tif 000003
【図２】
2009088794.tif 000004
【図３】
2009088794.tif 000005
【図４】
2009088794.tif 000006
【図５】
2009088794.tif 000007
【図６】
2009088794.tif 000008
【図７】
2009088794.tif 000009
【図８】
2009088794.tif 000010
【図９】
2009088794.tif 000011
【図１０】
2009088794.tif 000012
【図１１】
2009088794.tif 000013
【図１２】
2009088794.tif 000014
【図１３】
2009088794.tif 000015
【図１４】
2009088794.tif 000016
【図１５】
2009088794.tif 000017